(57)【特許請求の範囲】
【請求項１】
開閉部材の開閉を操作する操作手段を備えた入賞装置と、発射装置から透明なガラスパネルに覆われた遊技領域に発射されたパチンコ球による所定の状態の達成に応じて前記操作手段への通電を制御する制御手段とを備えたパチンコゲーム機において、
前記操作手段は、
ステッピングモータと、
前記ステッピングモータの回転軸に固定された回転盤と、
前記回転盤の回転運動を前記開閉部材の開閉運動へと変換する変換部材と、
を備え、
前記回転盤に設けられ回転盤の回転運動に伴って前記ステッピングモータの回転軸を中心に回転するマークと、
前記マークの回転位置を検出することにより前記入賞装置の開閉部材の開閉状態を検出するセンサと、
前記センサからの検出信号と前記制御手段から前記操作手段への通電とを比較する比較手段と、
前記センサから送られる前記開閉部材の開閉の信号と前記制御手段から前記操作手段への通電の有無とを比較した前記比較手段からの所定状態での出力信号によって警告を発する警告出力手段とを有することを特徴とするパチンコゲーム機。
【発明の詳細な説明】
【０００１】
【発明の属する技術分野】
本発明は、パチンコゲーム機に関し、特に、「役物」といわれる電動式の入賞装置の不正を防止するものに関する。
【０００２】
【従来の技術】
パチンコゲーム機には、遊技客へのサービス向上や遊技をより楽しめるようにすること等を目的とした役物（やくもの）と呼ばれる入賞装置が備えられている。そして、遊技過程における所定の状態をきっかけにして入賞確率が大きくなるよう、例えば特定入賞口や大入賞口等の役物が作動する構成がとられている。そのため、その大入賞口等の役物へパチンコ球が多く入れば大きな入賞の利益を得ることが可能となる。しかし、そのような役物の開閉扉を開くことは、遊技の過程で所定の状態を達成することによって実現できるものであるが、中には不正によって役物の開閉扉を開こうとする行為が行なわれることがある。
そこで、従来から不正使用を防止するための手段がパチンコゲーム機に採用されている。例えば、従来のパチンコゲーム機に備えられた不正防止のための手段の第１従来例として、特開昭６１−２８４２７８号公報に開示されている。
【０００３】
当該公報のパチンコゲーム機では、大入賞口へ入賞したパチンコ球の球数を検出するカウント検出器を設け、これによって入賞球数が一定数または一定時間に達したら大入賞口を閉じて入賞球数を制限する構成を有している。
しかし、パチンコゲーム機では、故意に配線の切断あるいは短絡させること等によりカウント機能を不能にさせ、大量の入賞を行なう等の不正が行なわれるおそれがあった。そのため、そのカウントの不能を検出する手段がさらに取り入れられているが、更にそのカウント検出器不能検出手段そのものの機能を取り外されてしまうおそれもあった。
そこで、その解除を大幅に困難化させるために、カウント検出器の機能を論理判断するようにしたカウント検出器不能検出手段を備え、大入賞口の開閉を行なう入賞装置の制御手段及びその大入賞口への入賞球数を制限する入賞制限手段とを、プログラム格納式のマイクロコンピュータによって一つの連続したプログラムの中に不可分な形で一体化したものが採用されている。
【０００４】
また、従来のパチンコゲーム機に備えられた不正防止のための手段の第２従来例として、特開昭６３−１４５６８９号公報に開示されたものがある。
当該公報のパチンコゲーム機も、大入賞口へ入賞したパチンコ球の球数を検出するカウント検出器を設け、これによって入賞球数が一定数に達したら大入賞口の開閉扉を閉じて入賞球数を制限する構成を有しているものである。
そして、当該パチンコゲーム機では、カウント検出器等に対する不正やそれが故障の場合だけでなく、無関係に警報を発してしまう欠点を解決すべく正常時と異常時の区別をし、大入賞口へのパチンコ球の入賞を検知する検知回路の故障や不正を確実に検出することができるようにしたものである。
【０００５】
具体的には、扉用ソレノイドによって開閉する大入賞口の開閉扉の開閉に連動する反転用ソレノイドが、その大入賞口へのパチンコ球の入賞球数を検知する計数スイッチの接点を開閉扉の開閉に応じて切り換え、判断回路が、その開閉扉の開閉に応じて計数スイッチから出力される信号が正常か否かを判断するものである。
従って、例えば、計数スイッチの接点が溶着する等の故障や、計数スイッチの接点を短絡または解放して計数動作を不能にする等の不正に対しては、開閉扉の動作に連動して反転用ソレノイドが計数スイッチを強制的に働かせ、判断回路が、検出回路が正常に働くか否かを計数スイッチからの信号によって確認し、これらの故障や不正を迅速に判断する。
【０００６】
【発明が解決しようとする課題】
しかし、不正行為にはカウントを不能にするといったものだけでなく、パチンコゲーム機の前面を覆っているガラスパネルの隙間からピアノ線を挿入させ、そのピアノ線の操作によって大入賞口等の役物の開閉扉を空けることにより、パチンコ球が入賞し易い状態を故意に作り出して不当に多大な入賞の利益を得ようとすることが行なわれる。また、このようなことは、不正行為を行なおうとする遊技客と本来管理側の従業員とが結託し、合鍵を用いてガラスパネルを開いて直接大入賞口等の役物へパチンコ球を不当に入れるといったことによっても行なわれるおそれがある。
そうした場合、上述した第１，第２従来例のように大入賞口等の役物への球数のカウントを不能とさせる不正に対するものでは、不当に大入賞口等の役物の開閉扉を開いて入賞の利益を得ようとする不正の発見が困難であった。
【０００７】
そこで、本発明は、開閉部材を不当に開ける不正行為が行なわれた場合には、そのような不正行為の迅速な確認、またそのような不正行為に対して遊技者に警告を与えることが可能なパチンコゲーム機を提供することを目的とする。
【０００８】
【課題を解決するための手段】
本発明のパチンコゲーム機は、開閉部材の開閉を操作する操作手段を備えた入賞装置と、発射装置から透明なガラスパネルに覆われた遊技領域に発射されたパチンコ球による所定の状態の達成に応じて前記操作手段への通電を制御する制御手段とを備えたパチンコゲーム機において、前記操作手段は、ステッピングモータと、前記ステッピングモータの回転軸に固定された回転盤と、前記回転盤の回転運動を前記開閉部材の開閉運動へと変換する変換部材と、を備え、前記回転盤に設けられ回転盤の回転運動に伴って前記ステッピングモータの回転軸を中心に回転するマークと、前記マークの回転位置を検出することにより前記入賞装置の開閉部材の開閉状態を検出するセンサと、前記センサからの検出信号と前記制御手段から前記操作手段への通電とを比較する比較手段と、前記センサから送られる前記開閉部材の開閉の信号と前記制御手段から前記操作手段への通電の有無とを比較した前記比較手段からの所定状態での出力信号によって警告を発する警告出力手段とを有することを特徴とする。
【０００９】
また、本発明のパチンコゲーム機は、開閉部材の開閉を操作する操作手段を備えた入賞装置と、発射装置から透明なガラスパネルに覆われた遊技領域に発射されたパチンコ球による所定の状態の達成に応じて前記操作手段への通電を制御する制御手段とを備えたパチンコゲーム機において、前記操作手段は、ステッピングモータと、前記ステッピングモータの回転軸に固定された回転盤と、前記回転盤の回転運動を前記開閉部材の開閉運動へと変換する変換部材と、を備え、前記回転盤に設けられ回転盤の回転運動に伴って前記ステッピングモータの回転軸を中心に回転するマークと、前記マークの回転位置を検出することにより前記入賞装置の開閉部材の開閉状態を検出するセンサと、前記センサからの検出信号の間隔を所定の設定時間と比較する比較手段と、前記センサから送られる前記開閉部材の開閉の信号の間隔が前記所定の設定時間よりも長い場合に、前記比較手段から発信される出力信号によって警告を発する警告出力手段とを有するように構成しても良い。
【００１０】
また、本発明のパチンコゲーム機は、前記警告出力手段が、当該パチンコゲーム機に備えられた警告音発信手段若しくは警告表示発信手段、又は警告音発信手段及び警告表示発信手段を動作させるものであることが望ましい。
【００１１】
また、本発明のパチンコゲーム機は、開閉部材の開閉を操作する操作手段を備えた入賞装置と、発射装置から透明なガラスパネルに覆われた遊技領域に発射されたパチンコ球による所定の状態の達成に応じて前記操作手段への通電を制御する制御手段とを備えたパチンコゲーム機において、前記操作手段は、ステッピングモータと、前記ステッピングモータの回転軸に固定された回転盤と、前記回転盤の回転運動を前記開閉部材の開閉運動へと変換する変換部材と、を備え、前記回転盤に設けられ回転盤の回転運動に伴って前記ステッピングモータの回転軸を中心に回転するマークと、前記マークの回転位置を検出することにより前記入賞装置の開閉部材の開閉状態を検出するセンサと、前記センサからの検出信号と前記制御手段から前記操作手段への通電とを比較する比較手段と、前記センサから送られる前記開閉部材の開閉の信号と前記制御手段から前記操作手段への通電の有無とを比較した前記比較手段からの所定状態での出力信号によって、前記発射装置からのパチンコ球の発射を停止させ、或は入賞によって得られる賞球の排出を停止させる機能停止手段を有するように構成しても良い。
【００１２】
また、本発明のパチンコゲーム機は、開閉部材の開閉を操作する操作手段を備えた入賞装置と、発射装置から透明なガラスパネルに覆われた遊技領域に発射されたパチンコ球による所定の状態の達成に応じて前記操作手段への通電を制御する制御手段とを備えたパチンコゲーム機において、前記操作手段は、ステッピングモータと、前記ステッピングモータの回転軸に固定された回転盤と、前記回転盤の回転運動を前記開閉部材の開閉運動へと変換する変換部材と、を備え、前記回転盤に設けられ回転盤の回転運動に伴って前記ステッピングモータの回転軸を中心に回転するマークと、前記マークの回転位置を検出することにより前記入賞装置の開閉部材の開閉状態を検出するセンサと、前記センサからの検出信号の間隔を所定の設定時間と比較する比較手段と、前記センサから送られる前記開閉部材の開閉の信号の間隔が前記所定の設定時間よりも長い場合に、前記比較手段から発信される出力信号によって、前記発射装置からのパチンコ球の発射を停止させ、或は入賞によって得られる賞球の排出を停止させる機能停止手段を有するように構成しても良い。
【００１３】
本発明のパチンコゲーム機は、前記警告を発する警告出力手段とを有するとともに、前記センサから送られる前記開閉部材の開閉の信号と前記制御手段から前記操作手段への通電の有無とを比較した前記比較手段からの所定状態での出力信号によって、または、前記センサから送られる前記開閉部材の開閉の信号の間隔が前記所定の設定時間よりも長い場合に、前記比較手段から発信される出力信号によって、前記発射装置からのパチンコ球の発射を停止させ、或は入賞によって得られる賞球の排出を停止させる機能停止手段を有するものであることが望ましい。
【００１４】
上記構成を有する本発明のパチンコゲーム機では、警告出力手段が前記センサから送られる前記開閉部材の開閉状態の信号と前記制御手段から前記操作手段への通電の有無とを比較した前記比較手段からの所定状態での出力信号によって警告を発することにより、開閉部材を不当に開ける不正行為に対して、そのような不正行為の迅速な確認、また、そのような不正行為に対して遊技者に警告を与えることが可能となった。
【００１５】
また、本発明のパチンコゲーム機では、警告出力手段が前記センサから送られる前記開閉部の開閉状態の信号との間隔が前記所定の設定時間よりも長い場合には、警告出力手段が前記比較手段から発信される出力信号によって警告を発するように構成すれば、開閉部材を不当に開ける不正行為に対して、そのような不正行為の迅速な確認、またそのような不正行為に対して遊技者に警告を与えることが可能となる。
また、本発明のパチンコゲーム機では、当該パチンコゲーム機に備えられた警告音発信手段または警告表示発信手段を動作させることによって、不正使用者に警告を与えて当該行為を中止させることができ、再発を防止することが可能となった。
【００１６】
また、本発明のパチンコゲーム機は、開閉部材を不当に開ける不正行為等の所定状態が生じた場合に、比較手段から発信される出力信号を受けた機能停止手段が、発射装置からのパチンコ球の発射を停止させ、或は入賞によって得られる賞球の排出を停止させるように構成すれば、不正行為の実行を不可能にすることによって、そのような行為をする遊技者に警告を与えることが可能となる。
また、本発明のパチンコゲーム機では、開閉部材を不当に開ける不正行為等の所定状態が生じた場合に、比較手段から発信される出力信号を受けた警告出力手段が、前記比較手段から発信される出力信号によって警告を発し、比較手段から発信される出力信号を受けた機能停止手段が、発射装置からのパチンコ球の発射を停止させ、或は入賞によって得られる賞球の排出を停止させるように構成すれば、不正行為を行なう遊技者に警告を与えることが可能となる。
【００１７】
【発明の実施の形態】
次に、本発明にかかるパチンコゲーム機を具体化した一実施の形態を図面を参照して説明する。
図１は、パチンコゲーム機の遊技領域を示した正面図である。このパチンコゲーム機１は、不図示のガラスパネルに覆われた遊技領域２に、図示するような多数本の障害釘や各種の誘導部材、方向設定部材等の障害物が設けられ、また、そのような各障害物とともに、各種入賞口３，３ａ…が設けられている。
【００１８】
これら入賞口のうち、特に始動口３は、パチンコ球が入賞する切欠部が１箇所形成された回転体が１０秒間で１回転するよう構成されたものであり、この始動口３への入賞によって後述する大入賞口が開放する。また、通過口３ｂは、常時開口されたものであって、この通過口３ｂをパチンコ球が通過すことによって可変表示装置６が起動され、可変表示装置６が所定の状態（例えば、セグメントによる表示が７７７の数字に揃った場合等）が達成された場合には、権利発生装置５が開いて入賞の確率が格段に増すことによって、特別な入賞の利益を得るための機会が与えられる。
【００１９】
権利発生装置５は、図２に示すように、開閉扉５ｐを開いた入賞口の後方に凹室が形成され、そこには中央に一段低い権利発生入賞口５ａが、そしてその左右には一般入賞口５ｂ，５ｂが設けられている。そして、これらの権利発生入賞口５ａ及び一般入賞口５ｂ，５ｂには、それら各入賞口を通過するパチンコ球を検出する不図示の継続入賞スイッチ及び一般入賞スイッチがそれぞれ係設されている。この権利発生入賞口５ａの入賞によって後述する特別待遇を受けることができる。
【００２０】
次に、本発明の特徴をなす入賞装置４の構成について更に詳細に説明する。図３及び図４は、大入賞口を有する入賞装置４を示した斜視図であり、図３は大入賞口が閉口した状態を示し、図４は大入賞口が開放した状態を示した図である。
入賞装置４は、遊技領域２を構成する板材に取り付けるための基板１１とその基板１１に固設された突板１２とが、遊技領域２の一部を構成するよう装飾が施されている。この基板１１には、所定状態の達成によって開放する大入賞口１１ａが形成され、その大入賞口１１ａの開閉を行なうための開閉扉１３が係設されている。また、大入賞口１１ａの下には、発光ダイオードによる表示手段１４が設けられている。
【００２１】
開閉扉１３は、基板１１の表面側の両側に前方に突出した回動片１３ａ，１３ａが形成される一方、裏面側の片側には後述するソレノイドに係合される係合片１３ｂ（図５参照）が形成されている。この回動片１３ａ，１３ａは、開閉扉１３を前方に回動させ開放させるためのおもりの役割を果たすものである。一方、係合片１３ｂは、それに形成された突起１３ｍによって、ソレノイド１５に係設された後述するクランク１６によって掛止めされ、通常の遊技時には大入賞口１１ａが閉口するように開閉扉１３の回動を規制するためのものである。
【００２２】
次に、図５は入賞装置４を示した側面図である。図から分かるように開閉扉１３には、前面及び後面に回動片１３ａ，１３ａと係合片１３ｂが突設され、特に係合片１３ｂの突起１３ｍには、上述したようにソレノイド１５に係設されたクランク１６が引っかけられている。ここで、ソレノイド１５及びクランク１６からなる操作手段の関係を図６に示す。
図６に示すように、ソレノイド１５のプランジャ１７の下端には円形のフランジ１８が形成され、またプランジャ１７にはフランジ１８に対応した円筒型のストッパ１９が嵌装されている。そして、そのストッパ１９のフランジ部とソレノイド１５のコイル部２０との間にスプリング２１が設けられている。
【００２３】
一方、クランク１６は、光を通す透過性透明樹脂によって段付形状に形成され、その下方部には光センサ２２（図５参照）によって検出可能なように、印刷や塗装等によって黒く塗られた光を遮断するマーク１６ａが付されている。また、このクランク１６の端部には、ソレノイド１５のフランジ１８が挿入されるカラー２３が一体に固定されている。
そこで、図５に示すようにフランジ１８がカラー２３に挿入された状態では、ストッパ１９がスプリング２１に付勢されてカラー２３上面に当接することとなり、その結果ソレノイド１５のコイル部２０への非通電時には、スプリング２１によってカラー２３が下方へ付勢され、クランク１６が突起１３ｍを介して、回動片１３ａ，１３ａによって回動しようとする開閉扉１３を閉口状態にさせることとなる。
【００２４】
次に、図７は、入賞装置４を裏側から示した分解斜視図である。基板１１の裏面側には、図示するように入賞球案内ケース２５及び後カバー２６がネジ止めされている。
基板１１の裏面は大入賞口１１ａを囲うように案内枠２７が設けられている。この案内枠２７は、開閉扉１３が係設された大入賞口１１ａの下側に図面左方に傾斜した下降路２７ａが形成され、その下降路２７ａ下端には凸部が後方に傾斜した段差部２７ｂが形成されている。そして、この案内枠２７を塞ぐように入賞球案内ケース２５が基板１１にネジ止めされている。
【００２５】
一方、入賞球案内ケース２５には、段差部２７ｂから後方へ案内された入賞球が通る案内口２８が空けられ、そこへ傾斜角をもって形成された下降路２９ａを有する案内枠２９が形成され、下降路２９ａの下には支持棚３０が設けられている。そして、下降路２９ａ下端には落下部２９ｂが構成され、その支持棚３０と下降路２９ａとの間にセンサ３１が嵌装され、下降路２９ａから下に落ちる入賞球がセンサ３１の検出部３１ａを通るように配設される。また入賞球案内ケース２５には、クランク１６の移動を案内するスリット３２が切られている。
そして、入賞球案内ケース２５を基板１１にネジ止めする際には、クランク１６を入賞球案内ケース２５のスリット３２を通し、その先端を突起１３ｍに掛ける。入賞球案内ケース２５をネジ止めした後、ソレノイド１５及びセンサ３１を配置させ、後カバー２６で後方から押えてネジ止めする。
【００２６】
なお、本実施の形態では、入賞装置４についてのみ記載したが、権利発生装置５にも図２に示すように、その開閉扉５ｐに係設された係合片５ｇの突起５ｍが形成され、同様にソレノイドによる開閉操作が行なわれる。そして、権利発生装置５は、入賞装置４と同様次に示す制御装置によって開閉の操作及び異常が検出される。
【００２７】
次に、パチンコゲーム機１の制御装置のうち、特に本発明の特徴的な構成をなす入賞装置４の制御部分について簡単に説明する。図８は、パチンコゲーム機の制御装置を示したブロック図である。
制御装置を構成するＣＰＵ５２は、図示していない実行データ等を記憶したＲＯＭ、ワークエリアをなすＲＡＭ及びデコード等を介してパチンコゲーム機１本体の各作動部に接続され、ＲＯＭに記憶された所定のプログラム等に従って作動部を制御するよう設定されている。
そして、このようなＣＰＵ５２は、特に入賞装置４の開閉扉１３を開閉するためのソレノイド１５への通電を制御する開閉制御手段５３、光センサ２２からの検出データを確認する検出手段５４、そして開閉制御手段５３からソレノイド１５への通電情報と検出手段５４が確認した検出データとを比較する比較手段５５を有する。
【００２８】
また、ＣＰＵ５２の比較手段５５には、その比較手段５５からの出力信号に基づいてパチンコゲーム機１に設けられた照明手段４１（図１参照）や、不図示の音声出力手段を駆動させる警告手段５６が、また、その出力信号に基づいてパチンコ遊技機１の発射装置の機能や入賞によって得られる賞球の排出機能を停止させる機能停止手段５７が接続されている。更に、比較手段５５には、タイミングパルスを発信するパルス発信器５８も接続されている。
【００２９】
そこで、このような構成からなるパチンコゲーム機１では、遊技者が遊技中になす所定の状態の達成に応じ、ＲＯＭに記憶された特定入賞プログラムに基づいて以下のように動作する。
不図示の発射装置から遊技盤２内へ発射されたパチンコ球が通過口３ｂを通過すると、それを検出した検出信号を受けて可変表示装置６が起動し図柄が変動する。そして、その図柄が特定の数字等にそろうことによって不図示のソレノイドが通電され、権利発生装置５の開閉扉５ｐが５．８秒間開放する。そして、開放した権利発生装置５の権利発生入賞口５ａへパチンコ球が入賞すると、それを検出して権利発生フラグが立てられ、続く遊技による特別待遇を受ける権利が発生する。
【００３０】
そして、約１０秒間で１回転する始動口３へパチンコ球が１個入ること（動作１）によって、ソレノイド１５への通電が行なわれ入賞装置４に形成された大入賞口１１の開閉扉１３が約１０秒間または入賞球が１０個に達するまで開放される（動作２）。このような動作１及び動作２は１６回繰り返されるが、途中で、権利発生装置５の権利発生入賞口５ａへパチンコ球が入賞した時点でこのような特別待遇は終了する。
【００３１】
このように動作１に基づいてソレノイド１５への通電が行なわれると、励磁された不図示の固定鉄心に吸引されたプランジャ１７が、図９に示す状態からスプリング２１の付勢力に抗して上昇する。そのため、そのプランジャ１７に係設されたカラー２３及びクランク１６も、図１０に示すように上昇することとなる。その際、クランク１６に設けられたマーク１６ａが光センサ２２を横切るため、その光センサ２２からの検出信号がＣＰＵ５２の検出手段５４に伝達されることとなる。
一方、クランク１６が上昇すると、そのクランク１６に突起１３ｍを介して引っかけられていた係合片１３ｂがフリーになり、回動片１３ａ，１３ａによって開閉扉１３がパチンコゲーム機１前面に開くこととなる。
【００３２】
開閉扉１３が開くと、次々に遊技領域２内に発射されるパチンコ球が高い確率でその大入賞口１１ａへ入賞することとなり、賞球の排出によって多大な入賞の利益を得ることとなる。
そこで、大入賞口１１ａへ入ったパチンコ球は、１球づつ基板１１裏面に形成された案内枠２７の下降路２７ａを転がって段差部２７ｂから入賞球案内ケース２５の案内口２８から案内枠２９へ入り、更に下降路２９ａを転がって落下部２９ｂを落下する際にセンサ３１の検出部３１ａを通過することによって入賞装置４へ入ったパチンコ球の入賞球数を確認することができる。これは、過剰にパチンコ球が入賞装置４へ入ることに伴って入賞の利益も過剰になれば、遊技者の射幸心を煽る恐れがあるため、入賞球数をカウントして一定数に制限するためのものであるが、本実施例のパチンコゲーム機１では、上述したように入賞球を１０個までカウントする。
【００３３】
ところで、特別待遇時の開閉扉１３の開閉制御は、具体的には図１１に示すようなタイミングでソレノイド１５への通電（ＯＮ）及び非通電（ＯＦＦ）を１６回繰り返すことが行なわれる。この時、ソレノイド１５のＯＮ状態は１０秒または入賞球が１０個に達する時間間隔（一般的には５〜３０秒の間隔）で行なわれ、図１２に示すようにクランク１６がソレノイド１５に連動するので、光センサ２２が発信する検出信号のパルス間隔Ｔと一致することとなる。
一方、ＯＦＦ状態は０．５〜１０秒の間で行なわれる。このとき、０．５秒以下の時間は特定できないため、ＯＦＦ状態はそれ以上で設定する必要がある。これは、大入賞口１１ａを通ったパチンコ球が、案内枠２７の下降路２７ａから入賞球案内ケース２５の下降路２９ａを転がり、配設されたセンサ３１の検出部３１ａへ到達するのに必要な時間を確保する必要があるためである。このようなタイミングは、パルス発信器５８から発信されるタイミングパルスによって制御され、また、確認されることとなる。
【００３４】
ここで、入賞装置４の開閉扉１３の開閉及び開閉時の光センサ２２の検出信号との比較を行なうことによって、入賞装置４が正常に開閉されているか否かを確認する。図１３は、不図示のＲＯＭに記憶された確認プログラムのフローを示した図である。
特定入賞プログラムに従ってＣＰＵ５２の開閉制御手段５３がソレノイド１５へのＯＮ，ＯＦＦを繰り返す（本実施の形態では１６回の開閉を行なう）と、その度にプランジャ１７が上下するのに伴ってクランク１６も上下するため、マーク１６ａが光センサ２２を横切ることによって光センサ２２からＣＰＵ５２の検出手段５４へ検出信号が伝達される。
【００３５】
そこで、図１３のフローに示すように、先ずステップ（以下、単に「Ｓ］と記す）１で比較手段５５によって開閉制御手段５３からソレノイド１５への通電があったことが確認される。そして、開閉制御手段５３からソレノイド１５への通電があったことを確認した場合（Ｓ１：ＹＥＳ）には、光センサ２２からの検出信号を検出手段５４が受けたか否かが確認される（Ｓ２）。ソレノイド１５への通電とともに光センサ２２からの検出信号を受けた場合（Ｓ２：ＹＥＳ）には、確認プログラムが終了される。
【００３６】
一方、ソレノイド１５への通電は確認したが（Ｓ１：ＹＥＳ）、光センサ２２からの検出信号を受信しなかった場合（Ｓ２：ＮＯ）には、カラー２３が何かに引っかかる等してプランジャ１７が上昇せずに開閉扉１３が開閉しないことが想定される。そこで、このような場合にはエラーであることを確認して（Ｓ３）、比較手段５５から警告手段５６へ警告信号が発信され、照明手段４１を作動させて利用者に故障であることを知らせるとともに、不図示の管理者側の警告手段をも動作させる。更に、パルス発信器５７へも警告信号が発信されることによって、パチンコ遊技機１の発射装置の機能や入賞によって得られる賞球の排出機能が停止され、遊技者のその後の遊技が不可能とされる。
【００３７】
以上は入賞装置４を駆動させるべき特定入賞時の検出の場合であるが、開閉制御手段５３からソレノイド１５への通電が行なわれていない特定入賞時でない場合も（Ｓ１：ＮＯ）、光センサ２２から検出手段５４への検出信号の伝達があるか否かが確認される（Ｓ４）。そして、ソレノイド１５への通電がない場合に（Ｓ１：ＮＯ）、光センサ２２からの検出信号の受信を検出しない場合（Ｓ４：ＮＯ）には、確認プログラムが終了する。一方、ソレノイド１５への通電がない（Ｓ１：ＮＯ）にもかかわらず、光センサ２２からの検出信号の受信を検出した場合（Ｓ４：ＹＥＳ）には、故意に開閉扉１３を開けたことが想定される。
【００３８】
具体的には、パチンコゲーム機１内に針金等を挿入して開閉扉１３を開けたり、ガラスを開けて直接開閉扉１３を開ける等した場合には、突起１３ｍが上昇するのに伴ってクランク１６が上昇するため、マーク１６ａが光センサ２２を横切るため検出信号が発信される。
そこで、このような場合にはエラーであることを確認して（Ｓ３）、比較手段５５から警告手段５６へ警告信号が発信され、照明手段４１等を作動させて遊技者に警告を発するとともに、不図示の管理者側の警告手段をも作動させる。更に、パルス発信器５７へも警告信号が発信されることによって、パチンコ遊技機１の発射装置の機能や入賞によって得られる賞球の排出機能が停止され、遊技者のその後の遊技が不可能とされる。
【００３９】
このような構成を有する本実施の形態のパチンコゲーム機１は、故意に開閉扉１３を開けて不当に入賞の利益を得ようとする者に対して、警告を与えることによって不正行為を早期に中止させることができ、その再発を防止することができる。また、従業員が遊技者と共同で不正行為を行なおうとした場合にも、照明手段４１や音等によって警告を発するとともに管理者側の警告手段の作動によって、確実にそのような不正行為を発見することが可能となる。更に、機能を停止させてその後の遊技を不可能とさせることによって、いたずらに不正行為を継続させることも不可能となった。
【００４０】
ところで、上記確認プログラムでは、ソレノイド１５のＯＮ，ＯＦＦ状態と光センサ２２からの検出信号との関係から正常に入賞装置４が開閉されているか否かを確認したが、図１２に示すように、入賞装置４のソレノイド１５のＯＮ状態は５〜３０秒の間に設定されたＴ時間が決定されているため、そのＴ時間を確認することによって、入賞装置４の正常動作を確認するようにしてもよい。図１４は、光センサからのパルス間隔によって、入賞装置４が正常に開閉されているか否かを確認する他の実施の形態における確認プログラムを示したフローである。
【００４１】
そこで、先ず、光センサ２２からの検出信号を検出手段５４が受けたか否かが確認されるが（Ｓ１１）、確認されなければ（Ｓ１１：ＮＯ）、そのまま確認プログラムが終了する。一方、ソレノイド１５が通電されるとクランク１６が上昇することによって入賞装置４の開閉扉１３が開くが、その際クランク１６のマーク１６ａが光センサ２２を横切るため、図１２に示すようにパルスＡが確認される（Ｓ１１：ＹＥＳ）。そして、このパルスＡが確認されると、比較手段５５によってパルス発信器５８からのタイミングパルスに基づき、ソレノイド１５の非通電によって発信される光センサ２２からの信号までの時間が計測される（Ｓ１２）。これは、図１２に示すようにパルスＡに続くパルスＢまでのＴ時間であり、本実施の形態では、ソレノイド１５のＯＮ状態を維持する最大の３０秒に設定されている。
【００４２】
そして、ソレノイド１５への通電が遮断され、再びクランク１６のマーク１６ａが光センサ２２を横切ることによって、パルスＢをＴ時間以内に確認した場合（Ｓ１２：ＮＯ）にはそのまま確認プログラムを終了する。
それに対し、Ｔ時間を超えてもパルスＢが確認されない場合（Ｓ１２：ＹＥＳ）には、故意に開閉扉１３を開けて不正を行なっていることや、パチンコ球が開閉扉１３に挟まれている等の何らかのトラブルが発生したことが想定される。
そこで、このような場合にはエラーであることを確認して（Ｓ１３）、比較手段５５から警告手段５６へ警告信号が発信され、照明手段４１等を作動させて遊技者に警告を発するとともに、不図示の管理者側の警告手段をも作動させる。更に、パルス発信器５７へも警告信号が発信されることによって、パチンコ遊技機１の発射装置の機能や入賞によって得られる賞球の排出機能が停止され、遊技者のその後の遊技が不可能とされる。
【００４３】
従って、本実施の形態の確認プログラムによっても、故意に開閉扉１３を開けて不当に入賞の利益を得ようとする者に対して、警告を与えることによって不正行為を早期に中止させることができ、その再発を防止することができる。また、従業員が遊技者と共同で不正行為を行なおうとした場合にも、照明手段４１や音等によって警告を発するとともに管理者側の警告手段の作動によって、確実にそのような不正行為を発見することが可能となる。更に、機能を停止させてその後の遊技を不可能とさせることによって、いたずらに不正行為を継続させることも不可能となった。
【００４４】
なお、本発明は、上記実施の形態に限定されるものではなく、その趣旨を逸脱しない範囲で様々な変更が可能である。
例えば、上記実施の形態ではクランク１６にマーク１６ａを設けて光センサ２２で開閉扉１３の開閉の状態を検出するようにしたが、開閉扉１３自体に直接マークを設けることによって、その開閉状態を確認するようにしてもよい。
また、例えば、上記実施の形態では、操作手段としてソレノイドを利用して開閉扉の開閉を操作したが、図１５に示すようにステッピングモータの回転軸６１に固定した回転盤６２に対し、開閉扉１３の係合片１３ｂに連結棒６３を回転可能に連結する一方、回転盤６２に付したマーク６４の回転位置を検出する光センサ６５備えた構成としてもよい。
【００４５】
また、例えば、上記実施の形態では、確認プログラムを別々のものとして記載したが、ソレノイドへの通電とセンサからの検出信号との確認に加え、センサから検出される入賞装置４のＯＮ状態の時間の確認を同時に実行するようなものとしてもよい。
【００４６】
【発明の効果】
本発明は、開閉部材の開閉状態を検出するセンサと、センサからの検出信号と制御手段から操作手段への通電とを比較する比較手段と、センサから送られる前記開閉部材の開閉の信号と制御手段から操作手段への通電の有無とを比較した比較手段からの所定状態での出力信号によって警告を発する警告出力手段とを有するので、開閉部材を不当に開ける不正行為が行なわれた場合には、そのような不正行為の迅速な確認、またそのような不正行為に対して遊技者に警告を与えることができるパチンコゲーム機を提供することが可能となった。
【００４７】
【００４８】
【図面の簡単な説明】
【図１】  本発明にかかるパチンコゲーム機の一実施の形態を示した遊技領域の正面図である。
【図２】  権利発生装置の開閉扉を開いた状態を示した斜視図である。
【図３】  特別入賞装置を示した閉口状態の斜視図である。
【図４】  特別入賞装置を示した開放状態の斜視図である。
【図５】  特別入賞装置を示した側面図である。
【図６】  特別入賞装置を構成する操作手段を示した斜視図である。
【図７】  特別入賞装置を裏側から見た分解斜視図である。
【図８】  パチンコゲーム機の制御装置を示したブロック図である。
【図９】  特別入賞装置の操作手段を示した閉口時の側面図である。
【図１０】  特別入賞装置の操作手段を示した開放時の側面図である。
【図１１】  特定入賞時の開閉扉の開閉制御のタイミングを示した図である。
【図１２】  特定入賞時の開閉扉の開閉制御のタイミング間隔を示した図である。
【図１３】  特別入賞装置の開閉扉の開閉及び開閉時の光センサの検出信号との比較を行なうフローを示した図である。
【図１４】  特別入賞装置が正常に開閉されているか否かの確認のためのフローを示した図である。
【図１５】  特別入賞装置を構成する他の操作手段を示した斜視図である。
【符号の説明】
１５    ソレノイド
２２    光センサ
５２    ＣＰＵ
５３    開閉制御手段
５４    検出手段
５５    比較手段
５６    警告手段
５７    機能停止手段
５８    パルス発信器
【図１】
0003969674.tif 000002
【図２】
0003969674.tif 000003
【図３】
0003969674.tif 000004
【図４】
0003969674.tif 000005
【図５】
0003969674.tif 000006
【図６】
0003969674.tif 000007
【図７】
0003969674.tif 000008
【図８】
0003969674.tif 000009
【図９】
0003969674.tif 000010
【図１０】
0003969674.tif 000011
【図１１】
0003969674.tif 000012
【図１２】
0003969674.tif 000013
【図１３】
0003969674.tif 000014
【図１４】
0003969674.tif 000015
【図１５】
0003969674.tif 000016